(57)【要約】【課題】従来のコンテンツ配信システムでは、情報取得のためにマウスやリモコン等のUI装置を備えた端末装置が必要であり、それらの装置が設置できない環境においてはシステムを利用することが困難で、また、コンテンツ配信サーバへの接続後、コンテンツの選択を別途作業としているため、取得したいコンテンツの選択に手間がかかった。【解決手段】上記の課題を解決するために、本情報検索は威信システムにおいては、システムの利用環境の設備による制約を受けないよう、システムの利用者側に携帯電話などの１携帯端末のみで解決し、また、情報の絞り込みに使用する媒体を音声とすることにより、配信情報選択の手間を軽減することができる。【選択図】  図１
2010079719.tif 000002
【特許請求の範囲】
【請求項１】
ユーザが使用し当該ユーザの情報を音声による入力機能を有する携帯端末と、通信網を介して当該ユーザ情報を受付ける機能を有するＷｅｂサイトと、当該ユーザの音声入力を受付ける機能を有する音声案内部と、当該ユーザ情報を格納する機能を有するユーザ情報データベースと、当該携帯端末を使用するユ−ザの利用者認証と音声認証機能を有する認証部と、当該携帯端末に配信する情報を検索し、電子メールで当該携帯端末に配信する機能を有する情報検索配信部と、を備える情報配信システムにおいて、当該携帯端末は当該通信網上のＷｅｂサイトを操作閲覧するＷｅｂ操作部と、音声を通信網通じて接続先に伝送する音声入力部と、受取る電子メールを表示する表示部とを備え、当該Ｗｅｂサイトは当該携帯端末からの電話番号、電子メールアドレスを含むユーザ情報の入力及び配信したい情報の選択を受付ける初期登録フォームを備え、前記音声案内部は入力された音声を認識する音声認識部を備え、当該ユーザ情報データベースは当該携帯端末の電話番号及び電子メールアドレスを含むユーザ情報を格納するユーザ情報部及び配信したい情報に関連付けられた検索文字列を格納する配信情報部を備え、当該認証部は当該携帯端末の電話番号から当該携帯端末を特定する端末認証部及び当該携帯端末の使用者の音声から検索文字列を抽出する配信情報ＩＤ取得部を備え、並びに当該情報検索配信部は配信対象のコンテンツを格納する配信情報データベース及び当該携帯端末に検索文字列をキーとして検索して得た情報を配信する情報配信部を備える音声キーワードを用いて情報検索を行うことを特徴とする情報検索配信システム。
【請求項２】
請求項１の携帯端末は、携帯電話機であることを特徴とする情報検索配信システム。
【発明の詳細な説明】
【技術分野】
【０００１】
本発明は、携帯電話機その他の携帯端末を用いた電子メールによる情報配信に関し、音声と配信情報を関連付け、音声を用いて検索することにより、様々な情報を配信することが可能となる情報検索配信システムに関するものである。
ここでいう検索配信情報とは、例えば、天気情報、グルメ情報、ニュース速報など携帯電話機の使用者にとって有益又は必要となる情報をいう。
【背景技術】
【０００２】
従来の情報配信システムとしては、PCやテレビ等の端末を用い、ポインティングデバイスやリモコンなどを用いて配信情報を選択し、表示するコンテンツ配信システム等のものがある（例えば、特許文献１参照）。
【０００３】
【特許文献１】特開2007-201742号公報
【発明の開示】
【発明が解決しようとする課題】
【０００４】
上述したコンテンツ配信システムでは、情報取得のためにマウスやリモコン等のUI装置を備えた端末装置が設置されている必要があり、それらの装置が設置できない環境においてはシステムを利用することが出来ない。また、コンテンツ配信サーバへの接続後、コンテンツの選択を別途作業としているため、取得したいコンテンツの選択に手間が掛かっていた。
【０００５】
本発明は、主に文字列情報の配信を対象として、利用環境を限定せずに、利用者の希望する情報を簡潔な操作で配信することを目的とするものである。
【課題を解決するための手段】
【０００６】
上記目的を達成するために、本願請求項１記載の発明は、ユーザが使用し、当該ユーザの情報を音声による入力機能を有する携帯端末と、通信網を介して当該ユーザ情報を受付ける機能を有するＷｅｂサイトと、当該ユーザの音声入力を受付ける機能を有する音声案内部と、当該ユーザ情報を格納する機能を有するユーザ情報データベースと、当該携帯端末を使用するユ−ザの利用者認証と音声認証機能を有する認証部と、当該携帯端末に配信する情報を検索し、電子メールで当該携帯端末に配信する機能を有する情報検索配信部と、を備える情報配信システムにおいて、当該携帯端末は当該通信網上のＷｅｂサイトを操作閲覧するＷｅｂ操作部と、音声を通信網通じて接続先に伝送する音声入力部と、受取る電子メールを表示する表示部とを備え、当該Ｗｅｂサイトは当該携帯端末からの電話番号、電子メールアドレスを含むユーザ情報の入力及び配信したい情報の選択を受付ける初期登録フォームを備え、前記音声案内部は入力された音声を認識する音声認識部を備え、当該ユーザ情報データベースは当該携帯端末の電話番号及び電子メールアドレスを含むユーザ情報を格納するユーザ情報部及び配信したい情報に関連付けられた検索文字列を格納する配信情報部を備え、当該認証部は当該携帯端末の電話番号から当該携帯端末を特定する端末認証部及び当該携帯端末の使用者の音声から検索文字列を抽出する配信情報ＩＤ取得部を備え、並びに当該情報検索配信部は配信対象のコンテンツを格納する配信情報データベース及び当該携帯端末に検索文字列をキーとして検索して得た情報を配信する情報配信部を備える音声キーワードを用いて情報検索を行うことを特徴とする。
【０００７】
また、本願の請求項２記載の発明は、携帯電話機であることを特徴とする。
【発明の効果】
【０００８】
本発明によれば、音声をキーワードとして情報の絞込みを行うため情報選択のためのキー操作を必要とせず、情報取得までの時間を短縮できる。また、利用者認証に電話番号を用いることにより、従来のパスワード認証で必要だったキー操作によるＩＤ及びパスワードの入力作業なしに利用者を特定できる。また、一般的に普及している携帯電話機を含む１携帯端末のみで情報取得ができ、システムの利用に際して利用者側への利用環境の整備作業を必要とすることはない。
【発明を実施するための最良の形態】
【０００９】
以下、本発明の実施の形態を図面に基づいて説明する。
図１は音声入力による情報検索配信システムの全体構成を示すブロック図である。
ここでいう検索配信する情報とは、例えば、天気情報、グルメ情報、ニュース速報など携帯電話機の使用者にとって有益又は必要となる情報である。
【００１０】
図１において、100は電話回線網への接続、Ｗｅｂ閲覧機能及び音声入出力機能を備えた携帯電話機で、この携帯電話機100のユーザの音声による入力装置としての携帯端末である。101は携帯電話機100のＷｅｂ閲覧の操作をするＷｅｂ操作部、102は100携帯電話機100の音声入出力をする音声入力部、103は携帯電話機100に配信された情報を液晶ディスプレイに表示する表示部である。
【００１１】
104はユーザ情報の初期登録及び配信情報の選択を含む利用登録を行うWebサイトで、105は
Webサイト104でユーザ情報の入力及び配信情報の選択をするための初期登録フォームである。
106は携帯電話機のユーザの音声入力を受付ける音声案内部で、107は入力された音声を認識する音声認識部である。
【００１２】
108はユーザ情報及び検索情報をデータとして格納するためのユーザ情報データベースで、109はユーザ情報データベース108の内、電話番号、電子メールアドレスを含むユーザ情報を格納するユーザ情報部、110はユーザ情報データベース108の内、ユーザによって選択された配信情報を検索する際の検索文字列とそれに関連付けられた配信情報IDを格納するための配信情報部である。
【００１３】
111は端末認証と配信情報IDの抽出を行う認証部で、112は認証部111の内、利用者端末認証を行う端末認証部、113は認証部111の内、入力音声と検索文字列を照合し、配信情報IDの抽出を行う配信情報ID抽出部である。
114は配信情報IDから情報を検索し、ユーザに配信する情報検索配信部で、115は情報検索配信部114の内、配信情報の検索及び配信を行う情報配信部、116は配信情報IDに関連付けられた配信情報が格納された配信情報データベースである。
【００１４】
ユーザ情報登録の流れを以下に示す。
201はユーザ情報入力ステップで、システムの利用者即ち、携帯電話機100の使用者は初期登録フォーム105に電話番号及びメールアドレスを含むユーザ情報を入力し、初期登録フォーム105に表示された配信情報の中から配信したい情報を選択する。また、この時システムはユーザの携帯電話機100へ音声データ入力のための電話番号を送付する。
202はユーザ情報登録ステップで、システムは201ユーザ情報入力ステップで入力されたユーザ情報をユーザ情報部109に登録する。
【００１５】
システム利用の流れを以下に示す。
203は音声認識ステップで、システムは携帯電話機100からのユーザの音声を音声認識部107で認識する。204は音声データ伝送ステップで、端末認証部112に入力された音声データとユーザの携帯電話機100の電話番号を端末認証部に伝送する。205は端末認証ステップで、端末認証部112はユーザの携帯電話機100の電話番号からユーザの携帯電話機100を特定し、ユーザ情報を取得する。206は検索文字列抽出ステップで、音声認識を用いて、音声データから音声が意味する単語を抽出し、登録済みの検索文字列と照合し、一致するものを抽出し、検索文字列伝送ステップ207で、検索文字列抽出ステップ206で抽出した検索文字列を情報検索配信部114に伝送し、配信情報検索ステップ208で、検索文字列を元に関連する配信情報を配信情報データベース116から取得し、情報配信ステップ209で、配信情報検索ステップ208の検索結果を整形し、ユーザの電子メールアドレスに伝送する。
【００１６】
図２は初期登録フォーム105の概観である。
図２において、210は氏名、電話番号、e-mailなどのユーザ情報を入力するユーザ情報入力画面、220はユーザが配信を希望する情報（天気情報、グルメ情報、ニュース速報）を選択する配信情報選択画面である。
【００１７】
図３はWebサイトでの初期登録を完了した際に自動的にユーザの携帯電話機100に送信され、携帯電話機100の表示部103に表示されるユーザ初期登録完了メールの例である。
【図面の簡単な説明】
【００１８】
【図１】本発明の実施形態である情報検索配信システムの全体構成を示すブロック図である。
【図２】本発明の実施形態である初期登録フォームの概観である。
【図３】本発明の実施形態であるユーザ初期登録完了メールである。
【符号の説明】
【００１９】
100 携帯電話機、  101 Ｗｅｂ操作部、  102音声入力部、
103表示部、  104 Ｗｅｂサイト、  105初期登録フォーム
106音声案内部、  107音声認識部、  108ユーザ情報データベース
109ユーザ情報部、  110配信情報部、  111認証部
112端末認証部、  113配信情報ID取得部、  114情報検索配信部
115情報配信部、  116配信情報データベース、  
201ユーザ情報入力ステップ、  202ユーザ情報登録ステップ
203音声認識ステップ、  204音声データ伝送ステップ
205端末認証ステップ、  206検索文字列抽出ステップ
207検索文字列伝送ステップ、  208配信情報検索ステップ
209情報配信ステップ、  210初期登録フォーム概観
220ユーザ情報入力画面、  230配信情報選択画面
300ユーザ登録完了メール
【図１】
2010079719.tif 000003
【図２】
2010079719.tif 000004
【図３】
2010079719.tif 000005